(57)【要約】      （修正有）【課題】ステップ運動を達成可能である他、ウエストひねり効果を向上させることもできるステップウエストひねりマシーン構造を提供する。【解決手段】ステップウエストひねりマシーン構造は、左、右ペダル棒１，１’上に、踏み込み動作と自由に、或いは同期に転動する左、右ペダル１２，１２’をそれぞれ設置し、こうして主動式或いは受動式のステップウエストひねり運動を提供し、左、右ペダル１２，１２’は軸棒１２１，１２１’により左、右ペダル棒１，１’上の穿孔１１１，１１１’内のベアリング１１１１，１１１１’に穿設し、これにより左、右ペダル１２，１２’は交替に踏み込む動作に従い、自然にウエストひねり転動を呈し、主動式のステップウエストひねり運動を提供し、左、右同期転動を行わせ、左、右ペダル１２，１２’を交替に踏み込むことで、同期の左、右交替転動を生じ、転動角度を拡大し、受動式ステップウエストひねり運動を実現する。【選択図】図２
0003149700.tif 000002
【実用新案登録請求の範囲】
【請求項１】
ステップウエストひねりマシーン構造は、左、右ペダル棒とベースとの間に、それぞれ左、右気圧シリンダーを可動接続し、しかも連動機構の連動ロープの両端を利用し、左、右ペダル棒の適当な位置に固定し、それぞれ前記左、右ペダル棒において交替に、前記左、右気圧シリンダーに対して圧迫しダンパー運動を行うと、相互牽引の効果を発揮し、
前記左、右ペダル棒上にはそれぞれ左、右穿孔を設置し、前記左、右穿孔内には少なくとも１個の左、右ベアリングを嵌設し、さらに、前記左、右ペダル下方に設置する左、右軸棒をそれぞれ前記左、右ベアリング内に嵌入し、これにより前記左、右ペダルを脚が交替に踏み込む動作を行う時、前記左、右ペダルは使用者のひねりに従い左、右に回り、動き、このようにして主動式ステップウエストひねり運動を提供することを特徴とするステップウエストひねりマシーン構造。
【請求項２】
前記連動機構は、ローラー台、連動ロープ、定位板、調整ボルトを備え、
前記ローラー台のローラーのローラー軸上には、受け止め台を固定し、受け止め台頂点面には調整孔を設置し、
前記連動ロープは、ローラー上を跨いで設置し、その両端はそれぞれ左、右ペダル棒上に設置され、
前記定位板は、サポートフレームの適当な位置上に設置し、定位板上の、調整孔と対応する位置には、動作限定孔を設置し、
前記調整ボルトは、定位板の動作限定孔を通過し、ローラー台の受け止め台の調整孔内に螺合して設置することを特徴とする請求項１に記載のステップウエストひねりマシーン構造。
【請求項３】
ステップウエストひねりマシーン構造は、左、右ペダル棒とベースとの間に、それぞれ左、右気圧シリンダーを可動接続し、しかも連動ロープの両端を利用し、左、右ペダル棒の適当な位置に固定し、それぞれ左、右ペダル棒において交替に、左、右気圧シリンダーに対して圧迫しダンパー運動を行うと、相互牽引の効果を発揮し、
前記左、右ペダル棒上にはそれぞれ左、右穿孔を設置し、前記左、右穿孔内には少なくとも１個の左、右ベアリングを嵌設し、さらに前記左、右ペダル下方に設置する左、右軸棒をそれぞれ前記左、右ベアリング内に嵌入し、
前記左、右ワイヤラップホイールは、左、右軸棒上に固定し、さらに前記左、右ワイヤラップホイールには、それぞれ左、右ロープユニットを固定し、しかも前記各ロープユニットはすべて左、右プルロープを備え、その一端はそれぞれ前記左、右ワイヤラップホイールの両側に固定し、反対端は反対の位置において、それぞれベースとサポートフレームの間に固定し、
左、右サポート機構は、前記左、右ペダル棒上に、それぞれ左、右位置限定板と左、右バッフルプレートと左、右スライドホイールを設置し、左、右ロープユニットを位置限定板とスライドホイールとの間に設置し、
よって、前記左、右ロープユニットの左、右プルロープが相互に引き合うことで、前記左、右ワイヤラップホイールを連動し、左、右同期転動を行わせ、これにより前記左、右ペダルが交替で下方へと踏み込まれると同期に左、右交替の転動が起こり、こうして受動式のステップウエストひねり運動が実現されることを特徴とするステップウエストひねりマシーン構造。
【請求項４】
前記ワイヤラップホイールの両側には、嵌槽を開設し、これに前記左、右ロープユニットの左、右プルロープの先端を嵌入して定位することを特徴とする請求項３に記載のステップウエストひねりマシーン構造。
【請求項５】
前記左、右ロープユニットは共に、プルロープ外にスリーブを嵌設して構成することを特徴とする請求項３に記載のステップウエストひねりマシーン構造。
【請求項６】
前記左、右スライドホイールは、それぞれ前記左、右ペダル棒内側の前段位置に可動設置し、ホイール面上には少なくとも１個のレール槽を設置し、これに前記左、右ロープユニットの左、右プルロープを入れてスライドさせることを特徴とする請求項３に記載のステップウエストひねりマシーン構造。
【請求項７】
前記左、右バッフルプレートは、それぞれ左、右ペダル棒上に接続し、左、右位置限定板と左、右スライドホイールとの間に位置し、その上には上、下バッフル孔を設置し、これにより前記左、右ロープユニットの左、右プルロープを穿設し、左、右スリーブを固定することを特徴とする請求項３に記載のステップウエストひねりマシーン構造。
【請求項８】
ステップウエストひねりマシーン構造は、左、右ペダル棒とベースとの間に、それぞれ左、右気圧シリンダーを可動接続し、しかも連動ロープの両端を利用し、左、右ペダル棒の適当な位置に固定し、それぞれ左、右ペダル棒において交替に、左、右気圧シリンダーに対して圧迫しダンパー運動を行うと、相互牽引の効果を発揮し、
前記左、右ペダル棒は、適当な位置にそれぞれ１個の左、右穿孔を設置し、その内部にはそれぞれ１個の左、右ベアリングを嵌入し、これにより左、右ペダル下方の左、右軸棒を穿設し、左、右軸棒は左、右穿孔下方より穿出し、
前記左、右ワイヤラップホイールは、それぞれ前記左、右軸棒上に嵌設して固定し、
前記左、右位置限定板は、それぞれ前記左、右ペダル棒下方に設置し、しかも左、右ワイヤラップホイール前方の適当な位置に位置し、その上には一対の左、右位置限定孔を穿設し、前記左位置限定孔は左ロープユニットの左、右プルロープを穿設させ、しかも左、右スリーブを固定し、前記右位置限定孔は右ロープユニットの左、右プルロープを穿設し、しかも左、右スリーブを固定し、
前記左、右スライドホイールは、それぞれ前記左、右ペダル棒内側の前段位置に可動設置し、しかも前記左、右ホイール定位板上に固定し、これにより左、右プルロープの方向転換を安定させ、前記左、右ワイヤラップホイールを連動し相同の転動角度とし、このようにして左、右ペダルの同期転動角度は相同となり、
前記左、右バッフルプレートは、前記左、右ペダル棒側辺に固設し、しかも左、右位置限定板と左、右スライドホイールとの間に位置し、左バッフルプレート上には左上、下バッフル孔を開設し、右バッフルプレート上には右上、下バッフル孔を開設し、このようにして左、右プルロープは安定的に左、右スライドホイールのレール槽内に通入し、
前記左、右ロープユニットの左ロープユニットの左、右プルロープ及び右ロープユニットの左、右プルロープは、外側に左、右スリーブを嵌設し、左ペダル棒の左ロープユニットの左、右プルロープ一端は、それぞれ左ワイヤラップホイールの両側に固定し、左プルロープの反対端に位置し、ベース上の左下固定板において固定し、右プルロープは、サポートフレームの上固定板に固定し、右ペダル棒の右転動ロープユニットの左、右プルロープ一端は右ワイヤラップホイールの両側にそれぞれ固定し、しかも左プルロープの反対端に位置し、サポートフレームの上固定板において固定し、右プルロープはベース上の右下固定板上に固定し、
前記連動機構は、サポートフレーム上に設置し、連動ロープ両端はそれぞれ左、右ペダル棒上に設置されることを特徴とするステップウエストひねりマシーン構造。
【請求項９】
前記連動機構は、ローラー台、連動ロープ、定位板、調整ボルトを備え、
前記ローラー台のローラーのローラー軸上には、受け止め台を固定し、前記受け止め台頂点面には調整孔を設置し、
前記連動ロープは、ローラー上を跨いで設置し、その両端はそれぞれ左、右ペダル棒上に設置され、
前記定位板は、サポートフレームの適当な位置上に設置し、定位板上の、調整孔と対応する位置には、動作限定孔を設置し、
前記調整ボルトは、前記定位板の動作限定孔を通過し、前記ローラー台の受け止め台の調整孔内に螺合して設置することを特徴とする請求項８に記載のステップウエストひねりマシーン構造。
【請求項１０】
前記ワイヤラップホイールの両側には、嵌槽を開設し、これに左、右ロープユニットの左、右プルロープの先端を嵌入して定位することを特徴とする請求項８に記載のステップウエストひねりマシーン構造。
【請求項１１】
前記左、右スライドホイールはホイール面上に１個或いは２個のレール槽を設置することを特徴とする請求項８に記載のステップウエストひねりマシーン構造。
【考案の詳細な説明】
【技術分野】
【０００１】
本考案はステップウエストひねりマシーン構造に関し、特に両足が交替に左、右ペダルを踏み込むことで、同期に主動或いは受動的に左、右ペダルを連動し左右交替に転動させ、さらに左、右ペダル棒の連動ロープを応用し、左、右ペダルの回転回復力を補助し、これにより固定地点でのステップ運動とウエストひねり増進の効果を提供するステップウエストひねりマシーン構造に関する。
【背景技術】
【０００２】
一般のステップマシーンは、ペダルによりペダル棒を踏み込み、気圧シリンダーによりダンパーの施力運動効果を達成するものである。
一方、これにウエストひねりの効果を兼ね備えたものは、両側のペダル棒の回転軸に適当な角度の偏移を行わせ、ステップ時にウエストひねり動作を達成する。
【考案の概要】
【考案が解決しようとする課題】
【０００３】
本考案が解決しようとする第一の課題は、ペダル棒の偏移角度により、ペダルは偏移の状態を備えるが、ウエストひねりの角度には限界があり、ウエストひねり運動効果を確実に達成することができないという従来のステップウエストひねりマシーンに存在する欠点を解決するステップウエストひねりマシーン構造を提供することである。
本考案が解決しようとする第二の課題は、ステップの上下行程が固定で、使用者の運動の必要に応じて調整を行うことができないという従来のステップマシーンに存在する欠点を解決するステップウエストひねりマシーン構造を提供することである。
【課題を解決するための手段】
【０００４】
上記課題を解決するため、本考案は下記のステップウエストひねりマシーン構造を提供する。
ステップウエストひねりマシーン構造は、左、右ペダル棒上にそれぞれ１個の穿孔を設置し、該穿孔内には少なくとも１個の左、右ベアリングを嵌設し、さらに、該左、右ペダル下方に設置する左、右軸棒により、それぞれ左、右ベアリング内に嵌入し、これにより該ペダルを脚が交替に踏み込む動作を行う時、該左、右ペダルは使用者のひねりに従い左、右に回り、動き、このようにして主動式ステップウエストひねり運動を提供し、
該左、右軸棒上にそれぞれワイヤラップホイールを固定し、該左、右ワイヤラップホイール両側により左、右ロープユニットの左、右プルロープをそれぞれ固定し、該左、右プルロープ反対端はサポートフレームとベース上にそれぞれ固定し、該右ペダル棒上の左、右プルロープ反対端は、ベースとサポートフレームにそれぞれ固定し、サポート機構により左、右ロープユニットを設置し、相互に引き合い、該左、右ワイヤラップホイールを連動し、左、右同期転動を行わせ、これにより該左、右ペダルが交替で下方へと踏み込まれると同期に左、右交替の転動が起こり、こうして受動式のステップウエストひねり運動が実現され、
該サポートフレーム上には調整機構を設置し、該調整機構は連動ロープの両端により左、右ペダル棒上にそれぞれ固定し、調整ボルトの回転を利用し、連動ロープの昇降を制御し、これにより該左、右ペダル棒のステップ行程の高低の幅を調整し、前記の構造に左、右気圧シリンダーのダンパーを対応させ、ステップ運動を達成可能である他、ウエストひねり効果を向上させることもでき、
該ワイヤラップホイールの両側には、嵌槽を開設し、これに該左、右ロープユニットの左、右プルロープの先端を嵌入して定位し、
該左、右ロープユニットの各ロープユニットの左、右プルロープ外にはすべて、左、右スリーブを嵌設し、該各左、右スリーブ一端は左、右ペダル棒の左、右ワイヤラップホイール前方の適当な位置に設置する左、右位置限定板上に設置し、反対端は、左、右バッフルプレート上にそれぞれ固定し、しかも該左、右バッフルプレートはそれぞれ該左、右ペダル棒上に接続し、該左、右位置限定板と該左、右スライドホイールとの間に位置し、該左、右バッフルプレートは左、右ペダルが上下に牽引され動くと、左、右プルロープの移動を連動し、該左、右プルロープの左、右ワイヤラップホイールを連動し相同の転動角度とし、このようにして左、右ペダルの同期転動角度は相同となし、
本考案ステップウエストひねりマシーンは、該左、右ペダル棒と該ベースとの間に、それぞれ左、右気圧シリンダーを可動接続し、これにより左、右ペダル棒は左、右気圧シリンダーに対して交替に圧迫し、ダンパー運動効果を生じ、
本考案のウエストひねり機構は、左、右ペダル棒、左、右ワイヤラップホイール、左、右ロープユニットを備え、
該左、右ペダル棒は、適当な位置にそれぞれ１個の左、右穿孔を設置し、その内部にはそれぞれ１個の左、右ベアリングを嵌入し、これにより左、右ペダル下方の左、右軸棒を穿設し、該左、右軸棒は左、右穿孔下方より穿出し、
該左、右ワイヤラップホイールは、それぞれ左、右軸棒上に嵌設して固定し、
該左、右ロープユニットは、該左、右ペダルの左、右軸棒上にそれぞれ固定して定位し、該左ロープユニットの左、右プルロープ一端は、それぞれ左ワイヤラップホイールの両側に固定し、該左プルロープ反対端は、該ベース上の左固定板に固定し、該右プルロープはサポートフレームの固定板上に固定し、該右ペダル棒の右ロープユニットの左、右プルロープ一端は右ワイヤラップホイールの両側にそれぞれ固定し、しかも該左プルロープ反対端に位置し、サポートフレームの固定板に固定し、該右プルロープは、ベース上の右固定板上に固定し、
該連動機構は、ローラー台によりサポートフレーム上に設置され、連動ロープはローラー上を跨いで設置し、該連動ロープの両端はそれぞれ左、右ペダル棒上に設置され、
該右ペダルを踏み込むと、該右ロープユニットの左プルロープは、該右ペダル棒の右位置限定板は該右転動ロープユニットの左スリーブを押し上げ、該左プルロープは右ワイヤラップホイールを連動し時計回りに回転させ、相対的に右ペダルを連動し、同期に時計回りの回転を行わせ、左ペダルは、連動ロープにより、右ペダル棒が踏み込まれることで、左ペダル棒を連動し跳ね上げ、左後位置限定板は、左転動ロープユニットの左プルロープの左スリーブを圧迫し、左プルロープは左ワイヤラップホイールを連動し、時計回りに転動させ、同期に左ペダルを連動し、時計回りの転動を行わせ、
該左ペダルを踏み込むと、該左転動ロープユニットの該右プルロープは、該左ペダル棒の該左後位置限定板が該左スリーブを押し上げることで、該左転動ロープユニットの右プルロープは、左ワイヤラップホイールを連動し、逆時計回りに転動させ、相対的に左ペダルを連動し、同期に逆時計回りの転動を行わせ、右ペダルは連動ロープにより、左ペダル棒を踏み込むことで右ペダル棒を連動し跳ね上げ、該右後位置限定板は右転動ロープユニットの左プルロープの左スリーブを圧迫し、左プルロープは右ワイヤラップホイールを連動し、逆時計回りの転動を行わせ、同期に右ペダルを連動し、また逆時計回りの転動を行わせ、
該左、右ペダルを交替に踏み込むことで、同期に該左、右ペダルを連動し逆時計回りの交替転動を行わせ、ウエストひねりの転動範囲を拡大し、
本考案受動式ステップウエストひねりマシーンは、左、右位置限定板、左、右スライドホイール、左、右バッフルプレートを備え、
該左、右位置限定板は、それぞれ左、右ペダル棒下方に設置し、しかも左、右ワイヤラップホイール前方の適当な位置に位置し、その上には一対の左、右位置限定孔を穿設し、それぞれ左、右ロープユニットの左、右プルロープを穿設し、該左、右スリーブの一端を該左、右位置限定孔上に固定して定位し、
該左、右スライドホイールは、それぞれ左、右ペダル棒内側の前段位置に可動設置し、左、右ホイール面上には１個の或いは２個のレール槽を設置し、しかも左、右ホイール定位板上に固定し、該左、右ロープユニットの左、右プルロープを穿設し、
該左、右バッフルプレートは、左、右ペダル棒側辺に固設し、しかも左、右位置限定板と左、右スライドホイールとの間に位置し、左、右バッフルプレート上には皆、対称の上、下バッフル孔をそれぞれ設置し、該左、右ロープユニットの左、右プルロープを穿設し、
該連動機構は、連動調整機構により左、右ペダル棒のステップ高低行程の調整を行うことができ、それは連動ロープ、ローラー台、定位板、調整ボルトからなり、
該ローラー台のローラーのローラー軸上には受け止め台を固定し、該受け止め台頂点面には調整孔を設置し、
該連動ロープはローラー上を跨いで設置し、その両端はそれぞれ左、右ペダル棒上に設置され、
該定位板はサポートフレームの適当な位置上に設置し、該定位板上の、調整孔と対応する位置には、動作限定孔を設置し、
該調整ボルトは、定位板の動作限定孔を通過し、ローラー台の受け止め台の調整孔内に螺合して設置し、
該調整ボルトの正、逆回転を利用し、該ローラー台の上、下高低調整を連動し、これにより連動ロープの左、右ペダル棒を踏み込む高低幅を改変し、使用者の運動のニーズに適応する。
【考案の効果】
【０００５】
本考案は、両足が交替に左、右ペダルを踏み込むことで、同期に主動或いは受動的に左、右ペダルを連動し左右交替に転動させ、さらに左、右ペダル棒の連動ロープを応用し、左、右ペダルの回転回復力を補助し、これにより固定地点でのステップ運動とウエストひねり増進の効果を提供し、ステップ運動を達成可能であると共にウエストひねり効果を向上させることもできる。
【図面の簡単な説明】
【０００６】
【図１】本考案一実施形態によるステップウエストひねりマシーン構造において、第一実施形態部品の分解図である。
【図２】本考案一実施形態によるステップウエストひねりマシーン構造において、ペダルとペダル棒結合構造の分解図である。
【図３】本考案一実施形態によるステップウエストひねりマシーン構造において、第一実施形態の組合せ図である。
【図４】本考案一実施形態によるステップウエストひねりマシーン構造において、第一実施形態の動作模式図である。
【図５】本考案一実施形態によるステップウエストひねりマシーン構造において、第一実施形態の動作模式図である。
【図６】本考案一実施形態によるステップウエストひねりマシーン構造において、連動機構部分の断面図である。
【図７】本考案一実施形態によるステップウエストひねりマシーン構造において、連動機構の平面透視図である。
【図８】本考案一実施形態によるステップウエストひねりマシーン構造において、第二実施形態部品の分解図である。
【図９】本考案一実施形態によるステップウエストひねりマシーン構造において、第二実施形態前側の俯瞰立体図である。
【図１０】本考案一実施形態によるステップウエストひねりマシーン構造において、第二実施形態後側の俯瞰立体図である。
【図１１】本考案一実施形態によるステップウエストひねりマシーン構造において、第三実施形態の動作模式図である。
【図１２】本考案一実施形態によるステップウエストひねりマシーン構造において、第三実施形態の動作模式図である。
【図１３】本考案一実施形態によるステップウエストひねりマシーン構造において、第二実施形態左側の仰視図である。
【図１４】本考案一実施形態によるステップウエストひねりマシーン構造において、ワイヤラップホイールとロープユニット固定の構造図である。
【図１５】本考案一実施形態によるステップウエストひねりマシーン構造の操作模式図である。
【考案を実施するための最良の形態】
【０００７】
以下に図面を参照しながら本考案を実施するための最良の形態について詳細に説明する。
図1、図2、図3に示すように、は左、右ステップ台1、1’上にはそれぞれ左、右穿孔111、111’を設置し、左、右穿孔111、111’内には少なくとも１個の左、右ベアリング1111、1111’を嵌設する。
さらに、左、右ペダル12、12’下方に設置する左、右軸棒121、121’は、それぞれ左、右ベアリング1111、1111’内に嵌入し、これにより脚が交替に踏み込む動作を行う時、左、右ペダル12、12’は使用者のひねりに従い左、右に回り、動き、このようにして主動式ステップウエストひねり運動を提供する。
【０００８】
図8〜図10、図13〜図15に示すように、受動式ステップウエストひねり運動は、左、右軸棒121、121’上に、それぞれ左、右ワイヤラップホイール13、13’を固定する。
左、右ワイヤラップホイール13、13’を応用し、両側にはそれぞれ左、右ロープユニット15、15’を固定する。
左、右ロープユニット15、15’は、それぞれ１個のサポート機構を設置し、左、右プルロープ151、151’、152、152’の左、右スリーブ1511、1521、1511’、1521’両端はそれぞれ左、右ペダル棒1、1’の左、右位置限定板14、14’と左、右バッフルプレート191、191’との間に固定する。
左ペダル棒1上に位置する左、右プルロープ151、152の反対端は、左スライドホイール19を経由し、サポートフレーム10とベース11上に固定される。
右ペダル棒1’上の左、右プルロープ151’、152’の反対端は、左ペダル棒1の左、右プルロープ151、152とは位置が異なり、右スライドホイール19’を経由し、ベース11とサポートフレーム10上に固定される。
左、右ロープユニット15、15’が相互に引き合うことにより、左、右ワイヤラップホイール13、13’を連動し、左、右同期転動を行わせ、これにより左、右ペダル12、12’が交替で下方へと踏み込まれると同期に左、右交替転動が起こり、こうして受動式のステップウエストひねり運動が実現される.
【０００９】
図6、図7に示すように、サポートフレーム10上には別に、連動機構2を設置する。
連動機構2は連動ロープ22の両端を左、右ペダル棒1、1’上にそれぞれ固定し、調整ボルト24の回転を利用し、連動ロープ22の昇降を制御する。
これにより左、右ペダル棒1、1’のステップ行程の高低の幅を調整し、前記の構造は左、右気圧シリンダーC、C’のダンパーに対応し、ステップ運動を達成可能である他、ウエストひねり効果を向上させることもできる。
【００１０】
図2、図8〜図10に示すように、本実施形態のステップウエストひねりマシーンは、左、右ペダル棒1、1’とベース11の間に、それぞれ左、右気圧シリンダーC、C’を可動接続し、これにより左、右ペダル棒1、1’は左、右気圧シリンダーC、C’に対して交替に圧迫し、ダンパー運動効果を生じる。
本実施形態のステップウエストひねりマシーン構造は、左、右ペダル棒1、1’の適当な位置にそれぞれ１個の左、右穿孔111、111’を設置し、その内部にはそれぞれ１個の左、右ベアリング1111、1111’を嵌入し、これにより左、右ペダル12、12’下方の左、右軸棒121、121’を穿設,し、該左、右軸棒121、121’は左、右穿孔111、111’下方より穿出する。
左、右ワイヤラップホイール13、13’は、それぞれ左、右軸棒121、121’上に嵌設して固定し、左、右位置限定板14、14’は、それぞれ左、右ペダル棒1、1’下方に設置し、しかも左、右ワイヤラップホイール13、13’前方の適当な位置に位置し、その上には一対の左、右位置限定孔141、141’を穿設する。
左位置限定孔141は左ロープユニット15の左、右プルロープ151、152を穿設させ、しかも左、右スリーブ1511、1521を固定する。
右位置限定孔141’は右ロープユニット15’の左、右プルロープ151’、152’を穿設し、しかも左、右スリーブ1511’、1521’を固定する。
【００１１】
左、右スライドホイール19、19’はそれぞれ左、右ペダル棒1、1’内側の前段位置に可動設置し、左スライドホイール19はホイール面上に１個或いは２個のレール槽を設置し、しかも左ホイール定位板192上に固定する。
右スライドホイール19’はホイール面上に１個或いは２個のレール槽を設置し、しかも右ホイール定位板192’上に固定し、これにより左、右プルロープ151、152、151’、152’の方向転換、固定を提供し、左、右ワイヤラップホイール13、13’を連動し相同の転動角度とし、このようにして左、右ペダル12、12’の同期転動角度は相同となる。
左、右バッフルプレート191、191’は左、右ペダル棒1、1’側辺に固設し、しかも左、右位置限定板14、14’と左、右スライドホイール19、19’との間に位置する。
左バッフルプレート191上には左上、下バッフル孔1911、1912を開設し、右バッフルプレート191’上には右上、下バッフル孔1911’、1912’を開設し、このようにして左、右プルロープ151、152、151’、152’は安定的に左、右スライドホイール19、19’のレール槽に通入する。
【００１２】
左、右ロープユニット15、15’は左、右位置限定板14、14’の内の左ロープユニット15の左、右プルロープ151、152及び右ロープユニット15’の左、右プルロープ151’、152’の外側には、左、右スリーブ1511、1521、1511’、1521’を嵌設する。
左ペダル棒1の左ロープユニット15の左、右プルロープ151、152一端は、それぞれ左ワイヤラップホイール13の両側に固定し、左プルロープ152の反対端に位置し、ベース11上の左下固定板17において固定する。右プルロープ151はサポートフレーム10の固定板101上に固定する。
右ペダル棒1’の右転動ロープユニット15’の左、右プルロープ151’、152’一端は右ワイヤラップホイール13’の両側にそれぞれ固定し、しかも左プルロープ151’の反対端に位置し、サポートフレーム10の上固定板101において固定する。
右プルロープ152’はベース11上の右下固定板18上に固定する。
連動機構2は、ローラー台21によりサポートフレーム10上に設置され、連動ロープ22はローラー211上を跨いで設置し、連動ロープ22の両端はそれぞれ左、右ペダル棒1、1’上に設置される。
【００１３】
図8、図11〜図15に示すように、右ペダル12’を踏み込むと、右ロープユニット15’の左プルロープ151’は、右バッフルプレート191’の右下バッフル孔1912’が左プルロープ151’の左スリーブ1511’を押し上げることで、左プルロープ151’は右ワイヤラップホイール13’を連動し時計回りに回転させ、相対し右ペダル12’を連動し、同期に時計回りの回転を行わせる。
また、左ペダル12は、連動ロープ22により、右ペダル棒1’が踏み込まれることで、左ペダル棒1を連動し跳ね上げる。これにより左バッフルプレート191の左上バッフル孔1911は、左プルロープ151の左スリーブ1511を圧迫し、左プルロープ151は左ワイヤラップホイール13を連動し、時計回りに転動し、同期に左ペダル12を連動し、時計回りの転動を行わせる。
【００１４】
反対に、左ペダル12を踏み込むと、左ロープユニット15の右プルロープ152は、左バッフルプレート191の左下バッフル孔1912により、右スリーブ1521を圧迫し、これにより左ロープユニット15の右プルロープ152は左ワイヤラップホイール13を連動し逆時計回りに転動させ、左ペダル12を連動し同期に逆時計回りの転動を行わせる。
また、右ペダル12’は連動ロープ22により、左ペダル棒1を踏み込むことで右ペダル棒1’を連動し跳ね上げる。これにより右バッフルプレート191’の右上バッフル孔1911’は、右ロープユニット15’の右プルロープ152’の右スリーブ1521’に対して圧迫し、このようにして右プルロープ152’は右ワイヤラップホイール13’を連動し、逆時計回りの転動を行わせ、同期に右ペダル12’を連動し、また逆時計回りの転動を行わせる。これにより同様に左、右ペダル12、12’を交替に踏み込むことで、同期に左、右ペダル12、12’を連動し逆時計回りの交替転動を行わせ、ウエストひねりの転動角度を拡大し、受動式ステップウエストひねり運動を提供することができる。
【００１５】
図13、図14に示すように、ワイヤラップホイール13、13’の両側には、嵌槽131、131’を開設し、左、右ロープユニット15、15’の左、右プルロープ151、152、151’、152’の先端を嵌入して定位する。
【００１６】
図1、図2〜 図7に示すように、連動機構2は、連動調整機構により左、右ペダル棒1、1’のステップ高低行程の調整を行うことができ、それは連動ロープ22、ローラー台21、定位板23、調整ボルト24からなる。
ローラー台21のローラー211のローラー軸2111上には受け止め台25を固定し、受け止め台25頂点面には調整孔251を設置する。
連動ロープ22はローラー211上を跨いで設置し、その両端はそれぞれ左、右ペダル棒1、1’上に設置される。
定位板23はサポートフレーム10の適当な位置上に設置し、定位板23上の、調整孔251と対応する位置には、動作限定孔231を設置する。
調整ボルト24は定位板23の動作限定孔231を通過し、ローラー台21の受け止め台25の調整孔251内に螺合して設置する。
よって、調整ボルト24の正、逆回転を利用し、ローラー台21の上、下高低調整を連動し、これにより連動ロープ22の左、右ペダル棒1、1’を踏み込む高低幅を改変し、使用者の運動のニーズに適応する。
【００１７】
本考案は具体の実施形態を上記の通り開示したが、これらは最適実施形態に過ぎず、本考案を限定するものではない。当該技術を熟知する者なら誰でも、本考案の製品と領域を脱しない範囲内で各種の変動や潤色を加えることができ、したがって本考案の保護範囲は、実用新案請求の範囲で指定した内容を基準とする。
【符号の説明】
【００１８】
１，１’            左、右ペダル棒
１１                ベース
Ｃ、Ｃ’            左、右気圧シリンダー
１１１、１１１’   
左、右穿孔
１１１１、１１１１’左、右ベアリング
１２、１２’        左、右ペダル
１２１，１２１’    左、右軸棒
１３，１３’        左、右ワイヤラップホイール
１３１、１３１’    左、右嵌槽
１４、１４’        左、右位置限定板
１４１、１４１’    左、右位置限定孔
１５                左ロープユニット
１５１              左プルロープ
１５２              右プルロープ
１５１１            左スリーブ
１５２１            右スリーブ
１５’              右ロープユニット
１５１’            左プルロープ
１５２’            右プルロープ
１５１１’          左スリーブ
１５２１’          右スリーブ
１０                サポートフレーム
１０１              上固定板
１７                左下固定板
１８                右下固定板
１９、１９’        左、右スライドホイール
１９１              左バッフルプレート
１９１１            左上バッフル孔
１９１２            左下バッフル孔
１９１’            右バッフルプレート
１９１１’          右上バッフル孔
１９１２’          左下バッフル孔
１９２、１９２’    左、右ホイール定位板
２                  連動機構
２１                ローラー台
２１１              ローラー
２２                連動ロープ
２３                定位板
２４                調整ボルト
２１１１            ローラー軸
２５                受け止め台
２５１              調整孔
２３１              動作限定孔
【図１】
0003149700.tif 000003
【図２】
0003149700.tif 000004
【図３】
0003149700.tif 000005
【図４】
0003149700.tif 000006
【図５】
0003149700.tif 000007
【図６】
0003149700.tif 000008
【図７】
0003149700.tif 000009
【図８】
0003149700.tif 000010
【図９】
0003149700.tif 000011
【図１０】
0003149700.tif 000012
【図１１】
0003149700.tif 000013
【図１２】
0003149700.tif 000014
【図１３】
0003149700.tif 000015
【図１４】
0003149700.tif 000016
【図１５】
0003149700.tif 000017